(57)【要約】【課題】  現場で容易に所望の長さに調整することができ、かつ、取付作業が容易で取付けた後に不意に脱落することがなく、さらに、作製に手間が掛からず大量生産が可能な電線保護カバー用の鳥類飛来防止装置を提供することを目的とする。【解決手段】  電線保護カバー３に着脱自在に取着される取付部７と、取付部７から上方へ突設された複数の障害突部２とを、備える。かつ、取付部７は、カバー３の左右側面を交互に挟持する弾性変形可能な複数のクリップ片部１を備える。各クリップ片部１は、取付状態で、カバー３の円筒状電線挿通部４の側方に対応する弓型片部10と、カバー３の下辺突条部５の側方に対応する下方突片部11とから形成される。各クリップ片部１は、軸心方向Ｌに沿って所定ピッチで、複数のスリットＳ…が形成されている。【選択図】  図１
2007330212.tif 000002
【特許請求の範囲】
【請求項１】
電線保護カバー（３）に着脱自在に取着される取付部（７）と、該取付部（７）から上方へ突設された複数の障害突部（２）とを、備え、かつ、上記取付部（７）は、上記カバー（３）の左右側面を交互に挟持する弾性変形可能な複数のクリップ片部（１）を備えたことを特徴とする電線保護カバー用の鳥類飛来防止装置。
【請求項２】
各上記クリップ片部（１）は、取付状態で、上記電線保護カバー（３）の円筒状電線挿通部（４）の側方に対応する弓型片部（10）と、上記電線保護カバー（３）の下辺突条部（５）の側方に対応する下方突片部（11）とから形成された請求項１記載の電線保護カバー用の鳥類飛来防止装置。
【請求項３】
各上記クリップ片部（１）は、軸心方向（Ｌ）に所定ピッチで、軸心直交面に沿ったスリット（Ｓ）が、形成されている請求項１又は２記載の電線保護カバー用の鳥類飛来防止装置。
【請求項４】
各上記クリップ片部（１）の上記下方突片部（11）は、左右方向外方へ弯曲状に拡開して形成され上記電線保護カバー（３）の上記電線挿通部（４）に上方から嵌込む際に誘導する弯曲辺部（13）を、下縁に有する請求項２又は３記載の電線保護カバー用の鳥類飛来防止装置。
【請求項５】
各上記クリップ片部（１）の上記下方突片部（11）は、左右方向内向きに突設され上記電線保護カバー（３）の下辺突条部（５）を下方から受ける受け辺部（12）を、下縁に有する請求項２又は３記載の電線保護カバー用の鳥類飛来防止装置。
【請求項６】
上記取付部（７）と上記障害突部（２）が一体に射出成形されている請求項１，２，３，４又は５記載の電線保護カバー用の鳥類飛来防止装置。
【請求項７】
上記取付部（７）の上部には、複数の上記障害突部（２）が軸心方向（Ｌ）から見て放射状に突設されている請求項１，２，３，４，５又は６記載の電線保護カバー用の鳥類飛来防止装置。
【発明の詳細な説明】
【技術分野】
【０００１】
本発明は、電線保護カバー用の鳥類飛来防止装置に関するものである。
【背景技術】
【０００２】
従来の電線保護カバー用の鳥類飛来防止装置として、電線に外嵌する電線保護カバーの円筒状電線挿通部に複数の孔部を形成し、先端が鋭利な棒体をこの孔に内周面側から差込むことによって、電線挿通部に複数本の棒体を外径方向へ突設させるものが知られている（例えば、特許文献１参照）。
【特許文献１】特開平７−７９６８２号公報
【発明の開示】
【発明が解決しようとする課題】
【０００３】
従来のこの鳥類飛来防止装置は、電線保護カバーに設けた孔部に、一本ずつ棒体を差込んで固着する必要があり、作製に手間が掛かる。また、この電線保護カバーは、切断して長さ調整されるものではないので、現場で電線の長さや取付場所の状況に応じて長さを調整して取り付けることができない。
【０００４】
そこで、本発明は、現場で容易に所望の長さに調整することができ、かつ、取付作業が容易で取付けた後に不意に脱落することがなく、さらに、作製に手間が掛からず大量生産が可能な電線保護カバー用の鳥類飛来防止装置を提供することを目的とする。
【課題を解決するための手段】
【０００５】
上記目的を達成するために、本発明に係る電線保護カバー用の鳥類飛来防止装置は、電線保護カバーに着脱自在に取着される取付部と、該取付部から上方へ突設された複数の障害突部とを、備え、かつ、上記取付部は、上記カバーの左右側面を交互に挟持する弾性変形可能な複数のクリップ片部を備えたものである。
【０００６】
また、各上記クリップ片部は、取付状態で、上記電線保護カバーの円筒状電線挿通部の側方に対応する弓型片部と、上記電線保護カバーの下辺突条部の側方に対応する下方突片部とから形成されている。
【０００７】
また、各上記クリップ片部は、軸心方向に所定ピッチで、軸心直交面に沿ったスリットが、形成されている。
また、各上記クリップ片部の上記下方突片部は、左右方向外方へ弯曲状に拡開して形成され上記電線保護カバーの上記電線挿通部に上方から嵌込む際に誘導する弯曲辺部を、下縁に有する。
あるいは、各上記クリップ片部の上記下方突片部は、左右方向内向きに突設され上記電線保護カバーの下辺突条部を下方から受ける受け辺部を、下縁に有する。
【０００８】
また、上記取付部と上記障害突部が一体に射出成形されている。
また、上記取付部の上部には、複数の上記障害突部が軸心方向から見て放射状に突設されている。
【発明の効果】
【０００９】
本発明は、次のような著大な効果を奏する。
本発明に係る電線保護カバー用の鳥類飛来防止装置は、電線保護カバーに着脱自在に取着される取付部と、取付部から上方へ突設された複数の障害突部とを、備えるので、現場にて電線保護カバーに取付けるだけで、鳥類の飛来を防止することができる。そして、取付が容易なので、少人数での作業も可能であり、現場での作業性が向上する。また、取付部は、カバーの左右側面を交互に挟持する弾性変形可能な複数のクリップ片部を備えているので、複数のクリップ片部が、カバーの左右側面を弾性力によって挟持して、取付部が、取付後に不意にカバーから外れるのを防止できる。
また、各クリップ片部は、取付状態で、電線保護カバーの電線挿通部の側方に対応する弓型片部と、カバーの下辺突条部の側方に対応する下方突片部とから形成されているので、クリップ片部がカバーを確実に挟持して、風等の外的な力を受けてもカバーに対して回転することがない。従って、障害突部を常時上向きに保つことができるので、鳥類の飛来を確実に防止できる。
また、各クリップ片部は、軸心方向に所定ピッチで、軸心直交面に沿った複数のスリットが形成されているので、鋸等の作業工具を用いて切断することができ、現場にて容易に所望の長さに加工でき、加工性と作業性を向上させることができる。
【発明を実施するための最良の形態】
【００１０】
以下、実施の形態を示す図面に基づき、本発明を詳説する。
図１，図２は、本発明に係る電線保護カバー用の鳥類飛来防止装置の実施の一形態を示し、この鳥類飛来防止装置は、電線保護カバー３に着脱自在に取着される取付部７と、取付部７から上方へ突設された複数の障害突部２とを、備える。電線保護カバー３は、電線に外嵌されて紫外線・風・飛来物や、建設機械の接触等から電線を守るためのものであり、電線に外嵌される円筒状電線挿通部４と、電線挿通部４の下辺に沿って突設された下辺突条部５とから成る。
【００１１】
取付部７は、カバー３の左右側面を交互に（軸心方向Ｌに千鳥状の位置で）挟持する弾性変形可能な複数のクリップ片部１…を備える。なお、本発明に於て、円筒状の電線挿通部４の軸心に沿っての方向を軸心方向Ｌと呼ぶものとし、本鳥類飛来防止装置に関しては、それを電線挿通部４（カバー３）に取着した状態を想定して、軸心方向Ｌと呼ぶ。
各クリップ片部１は、（電線保護カバー３への）取付状態で、電線保護カバー３の円筒状電線挿通部４の側方に対応する弓型片部10と、電線保護カバー３の下辺突条部５の側方に対応する下方突片部11とから形成され、下方突片部11は、弓型片部10の下辺部を下方へ折曲げ状として一体に形成されている。隣り合うクリップ片部１Ａ，１Ｂの弓型片部10，10の上部10ａ，10ａ同士が長手方向に一体に連結され、両弓型片部10，10を軸心方向Ｌに見ると、下部に切れ目を有する円環形状（略円弧形状）を成す（図２参照）。
また、各クリップ片部１の下方突片部11は、その下縁が左右方向外方へ弯曲状に拡開して形成され電線保護カバー３の電線挿通部４に上方から嵌込む際に誘導する弯曲辺部13を有する。隣り合うクリップ片部１Ａ，１Ｂの下方突片部11，11は、軸心方向Ｌから見ると、その弯曲辺部13，13が互いに（左右方向）反対側に反るように形成されると共に、所定間隔（電線保護カバー３の下辺突条部５の厚さよりも僅かに大きな間隔）離間して平行に配設されている。
また、各クリップ片部１は、取付部７を軸心方向Ｌに分断するための複数（図例では４筋）の軸心直交面に沿ったスリットＳ…が、軸心方向Ｌに所定ピッチで形成されている。具体的には、各スリットＳは、下方突片部11の下部から、弓型片部10の上部10ａの端辺部にかけて（弓型片部10の上下中間部の上寄りの一部は除く）形成され、かつ、各スリットＳは、後述する隣り合う障害突部２，２の間を通るように形成されている。
【００１２】
次に、障害突部２について説明する。障害突部２は、弓型片部10の上部10ａに形成された上述の隣り合うスリットＳ，Ｓの間毎に突設されており、軸心方向Ｌに所定間隔をもって配設される。障害突部２は軸心方向Ｌから見たとき縦長二等辺三角形の板形状から成り、クリップ片部１と高さが略等しい障害突部２Ａと、この障害突部２Ａの半分以下の高さの障害突部２Ｂとが交互に配設される。
取付部７と障害突部２…はプラスチック等の弾性変形可能な絶縁材料から成り、一体に射出成形されたものである。
また、鳥類飛来防止装置の１ユニットは、例えば、複数の（図例では９つの）クリップ片部１…が一体に連結した取付部７と複数の障害突部２…とで構成され、その全長は約50〜60cmに形成されるのが望ましい。
【００１３】
次に、図３，図４，図５は、本発明に係る電線保護カバー用の鳥類飛来防止装置の他の実施の形態を示し、図１，図２の装置との相違点は、各クリップ片部１の下方突片部11の下縁に、上述の弯曲辺部13に替えて、左右方向内向きに突設され電線保護カバー３の下辺突条部５を下方から受ける受け辺部（係止爪辺）12が形成された点である。具体的には、受け辺部12は、軸心方向Ｌから見て、取付状態で水平な受け面20を上面に有する。そして、取付状態（及び、自由状態）では、隣り合うグリップ片部１，１の受け辺部12，12の両受け面20，20が、隙間の無い連続面状を成し、取付部７はカバー３の下辺突条部５を、脱落させることなく確実に保持できる。
また、各受け辺部12は、受け面20の端縁部から（左右方向）外方下傾状に形成された弯曲面21を、下面に有し、取付部７を電線保護カバー３の電線挿通部４に上方から嵌込む際には、弯曲面21が電線挿通部４の上面に沿ってスライドする（図４参照）。これにより、各クリップ片部１の弾性変形がスムーズになり、図５の状態へ誘導される。
【００１４】
次に、図６〜図８は、本発明に係る電線保護カバー用の鳥類飛来防止装置の別の実施の形態を示し、図３〜５の装置との相違点は、クリップ片部１の弓型片部10の上部10ａに、複数の障害突部２…が軸心方向Ｌから見て放射状に突設されている点である。図７は、図６に示した装置の隣り合うクリップ片部１Ａ，１Ｂにて（つまり、異なる軸心方向位置にて）切断した横断面図である。各クリップ片１Ａ，１Ｂにおいて、弓型片部10には、真上方向の障害突部２と、長手方向から見て左右外方上傾状の障害突部２とが突設されている。よって、図６に於て、全体を軸心方向Ｌから見ると、障害突部２…は放射状に配設されている。そして、図８（Ａ）に示す如く、電線（及び、電線保護カバー３）が捩じれた状態（カバー３の下辺突条部５が側方下傾となる状態）になってしまった状態、例えば、50cmの長さ当り最大45度の捩れが発生した場合に、通常（下辺突条部５が鉛直方向の状態）では斜め上方を向いている障害突部２が上方を向くため（図５（Ｂ）参考）、鳥類の飛来を防止できる。
このように、本発明では、その形状、及び、その材質───つまり合成樹脂───の柔軟性を巧妙に活かしており、図８（Ａ）のように大きく捩れた電線保護カバー３に追従できるため、不意に離脱することなく、図８（Ｂ）のように、本発明の鳥類飛来防止装置を取着でき、かつ、上方を向いている障害突部２を、長手方向に（欠けることなく）配置できる。
なお、図８では受け辺部12のない変形例を示しているが、図６と図７に示した受け辺部12があることも自由である。
【００１５】
次に、図４に於て、本発明の鳥類飛来防止装置を電線保護カバー３に取付ける手順について説明する。取付部７のクリップ片部１の下方突片部11を、電線に取付済みの電線保護カバー３の電線挿通部４に上方から押し付ける。すると、下方突片部11の弯曲面21が電線挿通部４の上面に沿ってスライドし、弓形片部10及び下方突片部11が左右方向外方へ弾性変形により拡がりつつ誘導される。そして、図５に示した状態まで押し込んで、各クリップ片部１が弾性力で元の形状に戻り、クリップ片部１…が電線保護カバー３を挟持すればセット完了である。このように、上方から押し込むだけでセットできるので、少人数でも迅速に取付可能である。取付状態に於ては、弓型片部10…・下方突片部11…が、電線保護カバー３の円筒状電線挿通部４・下辺突条部５を両側方から保持し、かつ、受け辺部12の受け面20が、カバー３の下辺突条部５を下方から受けるので、装置は、風等の外力を受けても電線保護カバー３に対して揺動せず、かつ、カバー３がクリップ片部１…から脱落することがない。
【００１６】
取付部７をカバー３から取外す場合には、各クリップ片部１を左右方向外方（図５の矢印15の方向）へ拡げて、受け辺部12を、カバー３の下辺突条部５の下部から、係止を解除して、上方へ引っ張り上げればよい（図４参照）。
なお、電線に取付ける前の電線保護カバー３に対しても本発明の装置を着脱しても望ましく、電線に取付後のカバー３に着脱する場合と異なり、横に寝かせた状態でも着脱可能である。
また、図１，図２の装置に於ては、軸心方向Ｌに隣り合う弯曲辺部13，13が左右方向反対側に反っているので、取付部７の下方突片部11を電線保護カバー３の電線挿通部４に上方から押し付ける場合に、弯曲辺部13，13の下面が電線挿通部４の上方をスライドし、クリップ片部１がスムーズに側方へ拡がる。よって、取付がスムーズになる。
【００１７】
次に、取付部７と障害突部２…をプラスチック等の絶縁材料から一体に射出成形する方法について説明する。図２に於て、パーティングラインＰを含む仮想面で合わされるように、左右から金型を合わせて、金型内に溶融した樹脂を射出成形する。パーティングラインＰは、装置を長手方向から見たとき交互に配設された弓型片部10…が成す仮想円の中心を通る鉛直線である。そして、樹脂が固化した後に、金型を左右に取り外せば、取付部７と複数の障害突部２…が一体となったプラスチックから成る鳥類飛来防止装置が形成される。クリップ片部１…は、左右方向に開放する形状を有するので、金型の取り外しは容易であり、射出成形によって大量生産が可能となると共に生産コストも低く抑えられる。
【００１８】
また、上述のように、鳥類飛来防止装置の１ユニットの取付部７は、複数の（図例では９つの）クリップ片部１…が一体に連結して成るが、クリップ片部１…は、スリットＳ…が形成された箇所において鋸等の作業工具を用いて切断されることで、容易に分断できるので、現場にて、容易に所望の長さに加工でき、加工性と作業性が上がる。また、スリットＳが軸心直交面に沿って細長形状なので、各クリップ片部１の強度の低下を防ぎ得ると共に、金型を取外し易い。また、複数のスリットＳ…を形成することで、装置全体の軽減を図り得る。
【００１９】
また、クリップ片部１…が弾性変形自在であることから、電線保護カバー３内に複数本の電線が通されてカバー３の外径寸法が大きくなる場合でも、クリップ片部１が、カバー３の形状に合わせて変形した状態で取付可能であり、弾発付勢力（復元力）によって締め付けるため、一層脱落の防止になる。
【００２０】
また、図２，図５に於て、鳥類飛来防止装置を、その重心が複数の弓型片部10…が成す略仮想円の中心よりも下方位置になるように形成すれば（例えば、障害突部２の大きさを、下方突片部11よりも小さく形成する。）、装置がカバー３に取付けられた状態で風等の外力を受けてもカバー３廻りに回転しにくいため障害突部２が鉛直状態に保持される。
次に、図９（Ａ）の要部斜視説明図と、そのＺ−Ｚ拡大断面図を示す図９（Ｂ）に於て、障害突部２を横断面Ｈ型として、樹脂の使用量を減少し、軽量化を図りつつ、強度を確保することも、好ましい（図１〜図８のいずれにも応用可能）。
【００２１】
なお、障害突部２の上端は針状に尖っている上述の実施の形態に限定されず、例えば、上端を、半円形状や弯曲形状に形成してもよい。また、図１，図３に示した装置においては、大小の障害突部２Ａ，２Ｂが交互に突設されているが、全て同じ大きさに設定してもよい。また、隣り合う障害突部２，２のピッチを変更自由であり、隣り合うスリットＳ，Ｓ間毎に突設する上述の実施に限定されず、例えば、２つのスリットＳ…の間毎に一つの障害突部２を突設するのもよい。
【００２２】
以上のように、本発明に係る電線保護カバー用の鳥類飛来防止装置は、電線保護カバー３に着脱自在に取着される取付部７と、取付部７から上方へ突設された複数の障害突部２とを、備え、かつ、取付部７は、カバー３の左右側面を交互に挟持する弾性変形可能な複数のクリップ片部１を備えているので、電線に取付済みの電線保護カバー３に被せるだけで装置を取付けることができ、少人数でも容易に取付可能となる。また、複数のクリップ片部１…が、カバー３の左右側面を弾性力によって挟持するので、取付後に、取付部７が不意にカバー３から外れるのを防止できる。
【００２３】
また、各クリップ片部１は、取付状態で、電線保護カバー３の円筒状電線挿通部４の側方に対応する弓型片部10と、電線保護カバー３の下辺突条部５の側方に対応する下方突片部11とから形成されているので、クリップ片部１…がカバー３を確実に挟持して、風等の外的な力を受けてもカバー３に対して回転することがない。従って、障害突部２…を常時上向きに保つことができるので、鳥類の飛来を確実に防止できる。
【００２４】
また、各クリップ片部１は、軸心方向Ｌに所定ピッチで、軸心直交面に沿ったスリットＳが、形成されているので、クリップ片部１…を、スリットＳ…が形成された箇所において鋸等の作業工具を用いて切断することができ、容易に分断できる。よって、現場にて、容易に所望の長さに加工でき、加工性と作業性を向上させることができる。また、スリットＳが軸心直交面に沿って細長形状なので、各クリップ片部１の強度の低下を防ぎ得る。また、成形の際に、金型を取外し易い。また、複数のスリットＳ…を形成することで、装置全体の軽減を図り得る。
【００２５】
また、各クリップ片部１の下方突片部11は、左右方向外方へ弯曲状に拡開して形成され電線保護カバー３の電線挿通部４に上方から嵌込む際に誘導する弯曲辺部13を、下縁に有するので、下方突片部11を電線保護カバー３の電線挿通部４に上方から押し付ければ、弯曲辺部13の下面が電線挿通部４の上方をスライドし、クリップ片部１がスムーズに側方へ拡がる。よって、カバー３への取付作業が非常に楽になるので、少人数でも容易に取付作業を行うことができ、現場での作業性を向上させることができる。
【００２６】
また、各クリップ片部１の下方突片部11は、左右方向内向きに突設され電線保護カバー３の下辺突条部５を下方から受ける受け辺部12を、下縁に有するので、取付状態に於て、受け辺部12が、カバー３の下辺突条部５を下方から受けて、カバー３がクリップ片部１…から不意に脱落することがない。
【００２７】
また、取付部７と障害突部２が一体に射出成形されているので、全体的に強固な構造となって大きな耐久性を有する。よって、取付後に、風を受けたり建築機械等が接触することがあっても、破損しにくい。また、射出成形することで大量生産が可能となる。そして、大量生産により、生産コストも低く抑えることができる。
【００２８】
また、取付部７の上部には、複数の障害突部２が軸心方向Ｌから見て放射状に突設されているので、電線、及び、電線保護カバー３が捩じれた状態（カバー３の下辺突条部５が側方下傾となる状態）になってしまっても、通常（下辺突条部５が鉛直方向の状態）では斜め上方を向いている障害突部２が上方を向くため、鳥類の飛来を確実に防止できる。
【図面の簡単な説明】
【００２９】
【図１】本発明に係る電線保護カバー用の鳥類飛来防止装置の実施の一形態を示す斜視図である。
【図２】一部断面で示す正面図である。
【図３】本発明に係る電線保護カバー用の鳥類飛来防止装置の他の実施の形態を示す一部斜視図である。
【図４】一部断面で示す取付状態説明図である。
【図５】一部断面で示す説明用正面図である。
【図６】本発明に係る電線保護カバー用の鳥類飛来防止装置の別の実施の形態を示す一部断面正面図である。
【図７】軸心方向に相違する位置で切断した横断面図である。
【図８】使用状態の説明図であって、（Ａ）は捩れた状態の電線保護カバーの斜視説明図、（Ｂ）は取着状態の斜視説明図である。
【図９】変形例を示す説明図であって、（Ａ）は要部斜視説明図、（Ｂ）は（Ａ）のＺ−Ｚ拡大断面説明図である。
【符号の説明】
【００３０】
１  クリップ片部
２  障害突部
３  電線保護カバー
４  電線挿通部
５  下辺突条部
７  取付部
10  弓型片部
11  下方突片部
12  受け辺部
13  弯曲辺部
Ｌ  軸心方向
Ｓ  スリット
【図１】
2007330212.tif 000003
【図２】
2007330212.tif 000004
【図３】
2007330212.tif 000005
【図４】
2007330212.tif 000006
【図５】
2007330212.tif 000007
【図６】
2007330212.tif 000008
【図７】
2007330212.tif 000009
【図８】
2007330212.tif 000010
【図９】
2007330212.tif 000011